(57)【要約】      （修正有）【課題】容易にグリップ力を向上させることができ、コンパクトで持ち運びに便利で、しかも安価なグリップ力向上具を提供する。【解決手段】厚さ０．２〜５ｍｍの矩形状のゴムシートにおいて、長辺の上方に同一面上に設けられた円弧状の第１の膨出部３１と、前記膨出部の対角側の位置に長辺の下方に設けられた円弧状の第２の膨出部３２とを設けた、グリップ力向上具１とする。【選択図】図１
0003144781.tif 000002
【実用新案登録請求の範囲】
【請求項１】
厚さ０．２〜５ｍｍの矩形状のゴムシートにおいて、
長辺の上方に同一面上に設けられた円弧状の第１の膨出部と、
前記第１の膨出部の対角側の位置に長辺の下方に設けられた円弧状の第２の膨出部とを備えてなるグリップ力向上具。
【請求項２】
厚さ０．２〜５ｍｍの矩形状のゴムシートにおいて、
長辺の上方に同一面上に設けられた多角形状の第１の膨出部と、
前記第１の膨出部の対角側の位置に長辺の下方に設けられた多角形状の第２の膨出部とを備えてなるグリップ力向上具。
【請求項３】
厚さ０．２〜５ｍｍの矩形状のゴムシートにおいて、
長辺の上方に同一面上に設けられた円弧状および多角形状を組み合わせた形状の第１の膨出部と、
前記第１の膨出部の対角側の位置に長辺の下方に設けられた円弧状および多角形状を組み合わせた形状の第２の膨出部とを備えてなるグリップ力向上具。
【請求項４】
前記ゴムシートの表面にスキン層が形成されてなる請求項１〜３のいずれかに記載のグリップ力向上具。
【考案の詳細な説明】
【技術分野】
【０００１】
本考案はグリップ力向上具に関する。さらに詳しくは、厚さ０．２〜５ｍｍの矩形状のゴムシートにおいて、
長辺の上方に同一面上に設けられた円弧状の第１の膨出部と、
前記膨出部の対角側の位置に長辺の下方に設けられた円弧状の第２の膨出部とを備えてなるグリップ力向上具に関する。
【背景技術】
【０００２】
従来、運動用器具でトレーニングをする際に、グリップ力を補助するものとして手袋やバンテージが使用されてきた。
【０００３】
しかし、手袋は、装着するのが煩雑であり、掌が密閉されてしまうので、汗などによる蒸れや匂いが問題であり、バンテージは手に巻きつけて使用するので、装着するのに時間がかかり、煩雑であるという問題があった。
【０００４】
そのような問題を解決するものとして、図７および図８に示される特許文献１のグリップ補助具１１がある。このグリップ補助具１１は、手首にバンド１２を巻きつけ、グリップ補助のためのスリップ防止グリップ部材１３をバー１４に巻きつけて使用することにより、腕の引き操作時のグリップ力を補助することが可能である。
【０００５】
しかしながら、特許文献１に記載された発明は引き操作時にはグリップ力の補助となるが、押し操作時は、グリップ力の補助にはなりにくい。しかも高価であり、かさ張るという問題があった。
【０００６】
【特許文献１】米国特許第５８１３９５０号
【考案の開示】
【考案が解決しようとする課題】
【０００７】
本考案は、容易にグリップ力を向上させることができ、コンパクトで持ち運びに便利で、しかも安価なグリップ力向上具の提供を目的とする。
【課題を解決するための手段】
【０００８】
本考案のグリップ力向上具は、厚さ０．２〜５ｍｍの矩形状のゴムシートにおいて、長辺の上方に同一面上に設けられた円弧状の第１の膨出部と、前記膨出部の対角側の位置に長辺の下方に設けられた円弧状の第２の膨出部とを備えてなることを特徴とする。
【０００９】
また、本考案のグリップ力向上具は、厚さ０．２〜５ｍｍの矩形状のゴムシートにおいて、長辺の上方に同一面上に設けられた多角形状の第１の膨出部と、前記第１の膨出部の対角側の位置に長辺の下方に設けられた多角形状の第２の膨出部とを備えてなることを特徴とする。
【００１０】
また、厚さ０．２〜５ｍｍの矩形状のゴムシートにおいて、長辺の上方に同一面上に設けられた円弧状および多角形状を組み合わせた形状の第１の膨出部と、前記第１の膨出部の対角側の位置に長辺の下方に設けられた円弧状および多角形状を組み合わせた形状の第２の膨出部とを備えてなることを特徴とする。
【００１１】
また、本考案のグリップ力向上具は、前記ゴムシートの表面にスキン層が形成されてなることが好ましい。
【考案の効果】
【００１２】
本考案のグリップ力向上具によれば、容易にグリップ力を向上させることができる。また、ゴムのシートであるので、コンパクトであり、持ち運びに便利であり、安価である。さらに、使用時にゴムシートを運動用器具に巻きつけるだけであるので、装着が容易であり、第１の膨出部と第２の膨出部が矩形状のゴムシートの対角側の位置に設けられているので、左右どちらの掌にも用いることができる。また、押し操作だけでなく、引き操作の両方において、グリップ力を向上することができる。
【考案を実施するための最良の形態】
【００１３】
以下、添付図面を参照し、本考案のグリップ力向上具を説明する。図１は本考案のグリップ力向上具を示す図であり、図２は本考案のグリップ力向上具の膨出部の他の実施の形態を示す図であり、図３（ａ）および（ｂ）は本考案のグリップ力向上具の断面図であり、図４は本考案のグリップ力向上具の他の実施の形態を示す図であり、図５は本考案のグリップ力向上具の使用状態を示す図であり、図６（ａ）は本考案のグリップ力向上具の膨出部に当接する箇所を説明するための図、（ｂ）は本考案のグリップ力向上具の膨出部を説明するための図であり、図７および図８は従来のグリップ力向上具を示す図である。
【００１４】
図１を参照すると、本考案のグリップ力向上具１は、矩形状のゴムシートにおいて、長辺２１側の上方に同一面上に円弧状の第１の膨出部３１と、第１の膨出部３１の対角側の位置に長辺２２の下方に設けられた円弧状の第２の膨出部３２とが備えられている（以下、第１の膨出部３１および第２の膨出部３２を総称して膨出部３という）。膨出部３の形状は、本実施の形態においては、グリップ力向上具１は、第１の膨出部３１および第２の膨出部３２とがゴムシートの中央部で点対称になるように形成されているので、左右どちらの手でも用いることができる。
【００１５】
また、膨出部３１、３２の形状は、本実施の形態においては、円弧状を呈しているが、図１の形状に限定されることはなく、図２（ａ）〜（ｅ）に示されるようにたとえば膨出部３が、図２（ａ）のように半円状、図２（ｂ）のように楕円状であってもよく、図２（ｃ）のように矩形状、図２（ｄ）のように三角形であってもよい。また、図２（ｅ）に示されるように半円を３つ組み合わせた形状であっても構わない。ここで、本考案において円弧状とは、たとえば、半円状、楕円状、放物線状の弧等を含む概念であり、また、半円状、楕円状、放物線状の弧の組み合わせでもよく、さらに、半円状、楕円状、放物線状の弧と三角形や四角形などの多角形状との組み合わせであってもよく、特に形状は限られるものではない。また、他の実施の形態として、膨出部３は、矩形、三角形に限られず多角形状、たとえば五角形等であってもよく、また、それらの組み合わせであっても構わない。さらに、図２（ｅ）に示される膨出部３の半円のいずれかまたは全てを、楕円や矩形、三角形などの上述の他の形状に変更することが可能である。
【００１６】
グリップ力向上具１のゴムシートの厚さは、グリップ力の向上と使用感の観点から０．２〜５ｍｍであることが好ましいが、特に厚さは限定されることはない。本考案のグリップ力向上具１は、使用時に掌や運動用器具への粘着性を持たせるため、ゴムシートが用いられるが、生ゴムシートを用いることが好ましく、図３（ａ）に示されるように、ゴム層Ｒの１層で構成されているが、図３（ｂ）に示されるように、ゴム層Ｒの表面にスキン層Ｓを設けることもできる。スキン層Ｓは表面を肌触りをよくするためにさらさらにすることもでき、さらにグリップ性を向上させるために、表面に複数の凹凸を設けることもできる。なお、図３（ａ）、（ｂ）に示される以外にスキン層Ｓを両面に設けることもでき、特に何層にするかは限定されるものではない。
【００１７】
また、ゴムシートは、カラーゴムを用いることもでき、たとえば、左手用のゴムシートが黄色、右手用のゴムシートが青色のように、わかりやすくすることができ、同様に、たとえばゴムシートを２層にすることにより、ゴムシートの両面を異なる色にして使用時にわかりやすくすることもできる。さらに、ゴムシートに様々な模様を設けることも可能であり、たとえば図４に示されるように、ゴムシートの、運動器具のグリップ部分に当接する箇所にラインＬを付したり、指の形状を模した絵により、掌に載せる際の目安にすることもできる。さらにまた、漫画やアニメの柄をゴムシートの表面に設けることもできる。
【００１８】
図５は、本考案のグリップ力向上具１の使用状態を示す図であり、図５に示されるように、グリップ力向上具１を運動用器具４に螺旋状に巻きつけて使用する。すなわち運動用器具４の把手部がユーザによって握られた際に、当該把手部と掌との間にグリップ力向上具１が挟持され、少なくとも掌の一部が覆われる。具体的には、図６に示されるように、まず掌にグリップ力向上具１を第１の膨出部３１が第３（中指）、第４（薬指）および第５の指（小指）の一部である当接部Ｆ１、Ｆ２、Ｆ３に当接し、さらに第２の膨出部３２が第１の指（親指）と第２の指（人差し指）の付け根にかけて当接部Ｆ４に当接するように載せ、その状態で、運動用器具４の把手部を握りこむ。すると運動用器具４の把手部にグリップ力向上具１が螺旋状に巻きつき、グリップ力が向上し、効率のよいトレーニングをすることができる。
【００１９】
運動用器具４は、器具により様々な太さや形態を持つが、様々な太さや形態の器具に対応が可能であり、グリップ力向上具１の第１の膨出部３１と第２の膨出部３２が対角側に設けられ、グリップ力向上具１が矩形状ゴムシートの対角線の交点近傍で点対称になるように形成されているので、巻きつけたときにゴムシートが重なることがなく、ゴムシートの重なりによるグリップ力のばらつきがない。
【００２０】
ゴムシートの幅方向（短手方向）および長手方向の長さについては、図５に示されるように螺旋状に巻きつけたときに重なり合わず、第１の指（親指）と第２の指（人指し指）の付け根部分と、第３〜５の指を覆うことができる長さであれば特に限定されることはないが、幅方向は、３．５〜４．５ｍｍであることが好ましく、長手方向は１２〜１６ｃｍであることが好ましい。
【００２１】
本考案のグリップ力向上具１の膨出部３１、３２は、図６（ａ）に示されるように、少なくとも第３指、第４指および第５指の一部である当接部Ｆ１、Ｆ２、Ｆ３が覆われる。特に、図６（ｂ）に示されるように第３〜第５指の掌への付け根あたりに第１の膨出部３１が当接し、第２の膨出部３２が第１指（親指）の付け根から第１指と第２指との間の掌の一部に当接する。当該箇所に膨出部３が当接することにより、運動用器具４を使用する際のグリップ力が向上し、グリップ力が向上することにより、トレーニング器具の目的に沿ってトレーニング時の負荷が手首から肩にかけて合理的に力が伝わり、効率の良いトレーニングを実現することができる。また、膨出部３は、第３〜第５指にかけて指の形状に合わせて、第３指に当接する部分が最も高く、第４指、第５指にかけて膨出部分が漸減するように勾配を持って形成されているので、運動用器具４を握った際に余分なゴム部分が必要ないので、コストが節約でき、さらに指の第２関節までゴムがかからないようになり、グリップ力が有効に働く。
【００２２】
なお、本考案のグリップ力向上具１は、第３〜第５指にかけてゴムシートが当接するように第１の膨出部３１および第２の膨出部３２が設けることにより、グリップ力を向上するものであり、図１の形状に限られることはなく、たとえば、第３〜第５指にそれぞれ当接する半円状、楕円状の膨出部を２つまたは３つ連なって設けたり、多角形状の膨出部を２つまたは３つ設けることも可能であり、当業者に自明な設計変更の範囲は本考案に含まれる。
【図面の簡単な説明】
【００２３】
【図１】本考案のグリップ力向上具を示す図である。
【図２】本考案のグリップ力向上具の膨出部の他の実施の形態を示す図である。
【図３】（ａ）および（ｂ）は本考案のグリップ力向上具の断面図である。
【図４】本考案のグリップ力向上具の他の実施の形態を示す図である。
【図５】本考案のグリップ力向上具の使用状態を示す図である。
【図６】（ａ）は本考案のグリップ力向上具の膨出部に当接する箇所を説明するための図、（ｂ）は本考案のグリップ力向上具の膨出部を説明するための図である。
【図７】従来のグリップ力向上具を示す図である。
【図８】従来のグリップ力向上具を示す図である。
【符号の説明】
【００２４】
１  グリップ力向上具
１１  グリップ補助具
１２  バンド
１３  グリップ部材
１４  バー
２１、２２  長辺
３  膨出部
３１  第１の膨出部
３２  第２の膨出部
４  運動用器具
Ｒ  ゴム層
Ｓ  スキン層
Ｆ１、Ｆ２、Ｆ３、Ｆ４  当接部
【図１】
0003144781.tif 000003
【図２】
0003144781.tif 000004
【図３】
0003144781.tif 000005
【図４】
0003144781.tif 000006
【図５】
0003144781.tif 000007
【図６】
0003144781.tif 000008
【図７】
0003144781.tif 000009
【図８】
0003144781.tif 000010